(57)【特許請求の範囲】
【請求項１】
自車両が所定の駐車目標領域に到達することが可能となる領域である後退開始領域を算出する後退開始領域算出手段と、
前記後退開始領域算出手段によって算出された前記後退開始領域に含まれる位置ごとに、自車両姿勢の自由度を判定する車両姿勢自由度判定手段と、
前記車両姿勢自由度判定手段によって判定された前記後退開始領域に含まれる位置の前記自車両姿勢の自由度に応じて、運転者に提示する情報の強調度を決定する強調度決定手段と、
前記後退開始領域算出手段によって算出された前記後退開始領域を、前記強調度決定手段によって決定された強調度で表現した情報として運転者に提示する情報提示手段とを備え、
前記車両姿勢自由度判定手段は、１度の操舵で前記駐車目標領域内に当該自車両を位置させることが可能な後退方向角が大きいほど、当該後退開始領域に含まれる位置ごとの前記自車両姿勢の自由度が大きいと判定し、
前記強調度決定手段は、前記車両姿勢自由度判定手段により判定された自車両姿勢の自由度が大きいほど、運転者に提示する情報の強調度を高く決定する
ことを特徴とする駐車支援装置。
【請求項２】
前記自車両の前方における走行可能領域の当該自車両の進行方向に対する幅を検出する走行領域幅検出手段と、
前記走行領域幅検出手段によって検出された前記走行可能領域の幅方向における前記自車両位置を検出する自車位置検出手段と、
前記自車両を駐車させる前記駐車目標領域を検出する駐車目標領域検出手段とを備え、  前記後退開始領域算出手段は、前記自車位置検出手段によって検出された前記自車両の位置と、前記走行領域幅検出手段によって検出された前記走行可能領域の幅と、前記駐車目標領域検出手段によって検出された前記駐車目標領域と、前記自車両の最小回転半径とに基づいて、前記後退開始領域を算出すること
を特徴とする請求項１に記載の駐車支援装置。
【請求項３】
前記車両姿勢自由度判定手段は、自車両が取り得る前進方向角が大きいほど、前記後退開始領域に含まれる位置ごとの前記自車両姿勢の自由度が大きいと判定することを特徴とする請求項１又は請求項２に記載の駐車支援装置。
【請求項４】
前記強調度決定手段は、自車両が取り得る前進方向角が大きくなるほど、前記後退開始領域内に含まれる位置を低い増加度合いで増加させた強調度とすることを特徴とする請求項２又は請求項３に記載の駐車支援装置。
【請求項５】
自車両が取り得る前進方向角の平均値を運転者の駐車嗜好情報として保持する駐車嗜好保持手段を備え、
前記強調度決定手段は、前記駐車嗜好保持手段に運転者の駐車嗜好情報として保持されている前記前進方向角の平均値を参照し、当該平均値に相当する前進方向角における前記後退開始領域の位置を高い強調度とすることを特徴とする請求項１乃至請求項４の何れか１項に記載の駐車支援装置。
【請求項６】
前記強調度決定手段は、前記後退開始領域検出手段によって検出された前記後退開始領域の横幅が狭くなるほど、自車両が取り得る前進方向角が大きくなるような方向に対して、高い強調度を付与するように当該強調度を決定することを特徴とする請求項１乃至請求項５の何れか１項に記載の駐車支援装置。
【請求項７】
前記情報提示手段は、視覚情報を表示する車載用ナビゲーション装置、ヘッドアップディスプレイ、又は表示装置のいずれかであり、前記強調度決定手段によって決定された前記強調度に応じて、映像の明度、彩度若しくは色相の全て又はいずれかを変化させて表示することを特徴とする請求項１乃至請求項６の何れか１項に記載の駐車支援装置。
【請求項８】
前記情報提示手段は、聴覚情報を提示する音響装置であり、前記強調度決定手段によって決定された前記強調度に応じて、音声の音圧若しくは周波数の全て又はいずれかを変化させて提示することを特徴とする請求項１乃至請求項７の何れか１項に記載の駐車支援装置。
【請求項９】
前記情報提示手段は、触覚情報を提示することを目的として運転者が着座する運転席に埋め込まれた振動装置、又は、運転者による操舵輪、アクセルペダル若しくはブレーキペダルの操作に応じて反力の大きさを変化させる反力制御装置のいずれかであり、前記強調度決定手段によって決定された前記強調度に応じて、前記振動装置による振動数又は前記反力制御装置による反力の大きさを変化させて提示することを特徴とする請求項１乃至請求項８の何れか１項に記載の駐車支援装置。
【請求項１０】
自車両が所定の駐車目標領域に到達することが可能となる領域である後退開始領域を設定するステップと、
前記後退開始領域に含まれる位置ごとに、自車両姿勢の自由度を判定するステップと、
前記後退開始領域に含まれる位置の前記自車両姿勢の自由度に応じて、運転者に提示する情報の強調度を決定するステップと、
前記後退開始領域を、前記強調度で表現した情報として運転者に提示するステップとを含み、
前記自車両姿勢の自由度を判定するステップは、１度の操舵で前記駐車目標領域内に当該自車両を位置させることが可能な後退方向角が大きいほど、当該後退開始領域に含まれる位置ごとの前記自車両姿勢の自由度が大きいと判定し、
前記強調度を決定するステップは、前記自車両姿勢の自由度が大きいほど、運転者に提示する情報の強調度を高く決定する
ことを特徴とする駐車支援方法。
【発明の詳細な説明】
【技術分野】
【０００１】
本発明は、車両を所定の駐車目標領域に位置させるために運転者に運転操作の支援となる情報を提示する駐車支援装置及び駐車支援方法に関する。
【背景技術】
【０００２】
自車両を所定の駐車目標領域に位置させるために運転者に操作の支援となる情報を提示する駐車支援装置が開発されている。例えば特許文献１に記載の駐車支援装置及び駐車支援方法は、運転者自身が容易に目標とする駐車位置に自車両を導くことができるように、後退走行を開始させる範囲を広くして運転者に提示している。
【０００３】
より具体的には、この特許文献１に記載の駐車支援装置及び駐車支援方法は、予め設定された複数回の後退運動と前進運動との繰り返しにより、駐車枠内に自車両を誘導することが可能な範囲を後退開始領域として表示している。このとき、車両周囲に障害物が存在する場合には、その障害物の回避に必要な範囲も鑑みて、後退開始領域を表示させている。これにより、運転者は、１回で後退移動を開始可能な範囲が表示される場合と比較して、容易に自車両を後退開始領域に位置させることが可能となっている。
【特許文献１】特開２００６−３１２４４０号公報
【発明の開示】
【発明が解決しようとする課題】
【０００４】
ところで、複数回の前進走行及び後退走行によって駐車目標領域に駐車可能な後退開始領域が予め提示されることにより、運転者の安心感は向上すると考えられる。しかしながら、一般的な駐車場面を観察すると、後続する他車両が存在する場合での駐車や、自車両を前後方向に移動させるための操作の煩わしさから、１度の後退で駐車を達成することを試みる運転者が多いのが現実である。
【０００５】
しかしながら、状況的に急いで運転操作を行うほど、所定の場所に自車両を位置させることは精神的に困難となる。すなわち、このような運転者の駐車を情報によって支援するためには、１度の後退で駐車を達成可能な後退開始位置を、容易に掴むことのできる形態で提示するのが望ましい。
【０００６】
そこで、本発明は、上述した実情に鑑みて提案されたものであり、１度の後退で駐車可能な駐車の後退開始位置を、容易に掴むことのできる形態で運転者に提示することができる駐車支援装置及び駐車支援方法を提供することを目的とする。
【課題を解決するための手段】
【０００７】
本発明では、自車両が所定の駐車目標領域に到達することが可能となる領域である後退開始領域を設定し、当該前記後退開始領域に含まれる位置ごとに、自車両が後退走行を開始してから終了するまでに許容される自車両姿勢の自由度を判定して、当該自由度に応じた強調度で前記後退開始領域を提示することによって、上述の課題を解決する。
【発明の効果】
【０００８】
本発明によれば、強調度で表現された後退開始領域を運転者が認知することで、容易に所定の駐車目標位置に到達することが可能な後退開始領域を掴むことができる。
【発明を実施するための最良の形態】
【０００９】
以下、本発明の実施の形態について図面を参照して説明する。
【００１０】
［第１実施形態］
［駐車支援装置の構成］
本発明を適用した第１実施形態に係る駐車支援装置は、図１に示すように、自車両周囲を撮像するカメラ装置１０と、自車両の位置を検出する自車位置検出手段としての自車位置検出回路１１と、自車両が走行する走行車線の幅を検出する走行領域幅検出手段としての車線幅検出回路１２と、自車両を駐車させる駐車枠（駐車目標領域）を検出する駐車目標領域検出手段としての駐車枠検出回路１３と、自車両が所定の駐車目標領域に到達するために走行する領域である後退開始領域を算出する後退開始領域算出手段としての後退開始領域算出回路１４と、自車両姿勢の自由度を判定する車両姿勢自由度判定手段としての車両姿勢自由度判定回路１５と、運転者に提示する情報の強調度を決定する強調度決定手段としての強調度決定回路１６と、この強調度決定回路１６によって決定された強調度に応じた視覚情報を提示する情報提示手段としての表示装置１７とを備える。
【００１１】
カメラ装置１０は、自車両に設けられ、当該自車両の前方、側方、後方を撮像方向とする。このカメラ装置１０は、例えば自車両前方を撮像方向とするカメラモジュール、自車両右側方を撮像方向とするカメラモジュール、自車両左側方を撮像方向とするカメラモジュール、自車両後方を撮像方向とするカメラモジュールからなる。このカメラ装置１０によって撮像された映像信号は、自車位置検出回路１１、車線幅検出回路１２、及び駐車枠検出回路１３に供給される。
【００１２】
自車位置検出回路１１は、カメラ装置１０から供給された映像信号に基づいて、車線幅検出回路１２によって検出された走行車線の幅方向における自車両の位置を検出する。具体的には、自車位置検出回路１１は、カメラ装置１０から供給された映像信号を画像処理してエッジ抽出等を行うことにより、自車両が走行する走行車線の幅に対する当該自車両位置ｘｐを同定する。自車位置検出回路１１は、検出した自車両位置ｘｐを表す座標情報を、後退開始領域算出回路１４に供給する。
【００１３】
車線幅検出回路１２は、カメラ装置１０から供給された映像信号に基づいて、自車両前方における走行可能領域の当該自車両の進行方向に対する幅、すなわち、走行車線幅を検出する。具体的には、車線幅検出回路１２は、カメラ装置１０から供給された自車両前方の映像信号を画像処理してエッジ抽出等を行うことにより、自車両が走行する走行車線を検出し、その検出結果に基づいて、走行車線幅Ｗｒを算出する。車線幅検出回路１２は、検出した走行車線幅Ｗｒを特定する座標情報を、後退開始領域算出回路１４に供給する。
【００１４】
駐車枠検出回路１３は、カメラ装置１０から供給された映像信号に基づいて、自車両が駐車目標とする駐車枠を検出する。具体的には、駐車枠検出回路１３は、カメラ装置１０から供給された自車両側方の映像信号を画像処理してエッジ抽出等を行うことにより、駐車枠の白線検出を行って駐車枠を検出する。駐車枠検出回路１３は、検出した駐車枠の座標情報を、後退開始領域算出回路１４に供給する。
【００１５】
後退開始領域算出回路１４は、自車位置検出回路１１によって検出された自車両位置ｘｐと、車線幅検出回路１２によって検出された走行車線幅Ｗｒと、駐車枠検出回路１３によって検出された駐車枠の座標情報と、自車両の既定値である最小回転半径Ｒｍｉｎとに基づいて、自車両が所定の駐車枠に駐車をする際に当該自車両を位置させることで所定の駐車目標領域に到達することが可能となる領域である後退開始領域を算出する。すなわち、後退開始領域算出回路１４は、自車両が駐車枠まで移動可能な進路を、略連続した座標で表した後退開始領域を算出する。後退開始領域算出回路１４は、算出した後退開始領域の座標情報を、車両姿勢自由度判定回路１５及び強調度決定回路１６に供給する。
【００１６】
車両姿勢自由度判定回路１５は、後退開始領域算出回路１４によって算出された後退開始領域内において、自車両が後退走行を開始してから終了するまでに許容される自車両姿勢の自由度を判定する。車両姿勢自由度判定回路１５は、判定した自由度の情報を、強調度決定回路１６に供給する。
【００１７】
強調度決定回路１６は、運転者に提示する情報について、後退開始領域算出回路１４によって算出された後退開始領域内における全ての地点の強調度を決定する。具体的には、強調度決定回路１６は、車両姿勢自由度判定回路１５によって判定された後退開始領域内における自由度が大きい地点（座標情報）ほど、高い強調度で提示するものと決定する。強調度決定回路１６は、後退開始領域を表す座標情報と、当該座標情報に対応して決定した強調度情報とを表示装置１７に供給する。
【００１８】
表示装置１７は、カメラ装置１０によって撮像された自車両前方の映像信号、自車両右側方の映像信号、自車両左側方の映像信号及び自車両後方の映像信号とを用いて座標変換を行って、自車両周囲を恰も上空から見たような映像に変換した俯瞰画像を作成する。また、表示装置１７は、強調度決定回路１６から供給された後退開始領域の座標情報に対応する俯瞰画像内の位置を、強調度決定回路１６によって決定された強調度で表示する。これにより、駐車支援装置は、後退開始領域算出回路１４によって算出された後退開始領域に関する視覚情報を、自車両の自由度に応じて決定された強調度で提示する。
【００１９】
［駐車支援装置の動作］
このような各部を備える駐車支援装置は、図２に示すような一連の手順にしたがって、自車両を所定の駐車目標領域に位置させるために運転者に運転操作の支援となる情報を提示する。
【００２０】
図２に示すように、ステップＳ１においては、車線幅検出回路１２によって、自車両が走行する走行車線幅Ｗｒを検出する。すなわち、車線幅検出回路１２は、上述したように、カメラ装置１０から供給された自車両前方の映像信号を画像処理してエッジ抽出等を行うことにより、図３に示す自車両が走行する走行車線を検出する。そして、車線幅検出回路１２は、検出した走行車線から両サイドに存在する白線や他車両などを検出することによって、駐車面１０１から対向面１０２に亘る走行車線幅Ｗｒを検出する。
【００２１】
次のステップＳ２においては、駐車枠検出回路１３によって、自車両を駐車させる駐車枠を検出する。すなわち、駐車枠検出回路１３は、上述したように、カメラ装置１０から供給された自車両側方の映像信号を画像処理してエッジ抽出等を行うことにより、駐車目標となる駐車枠１００を検出する。
【００２２】
そして、自車位置検出回路１１は、ステップＳ３において、自車両が走行する走行車線における当該自車両の走行車線幅方向の位置を検出する。すなわち、自車位置検出回路１１は、上述したように、カメラ装置１０から供給された映像信号を画像処理してエッジ抽出等を行うことにより、ステップＳ１にて算出された自車両が走行する走行車線幅Ｗｒに対する当該自車両位置ｘｐを同定する。
【００２３】
続いて、後退開始領域算出回路１４は、ステップＳ４において、自車両を駐車枠１００に対してある程度の方向角を持たせて操舵をさせる場合に、最大限の方向角を持たせた場合の角度θｍａｘを算出する。具体的には、後退開始領域算出回路１４は、自車両の最小回転半径Ｒｍｉｎを用いて、次式（１）によって方向角θｍａｘを算出する。
【数１】
0004992733.tif 000002
【００２４】
ただし、上式（１）において、θｍａｘ＞π／２のときには、θｍａｘ＝π／２とする。
【００２５】
続いて、後退開始領域算出回路１４は、ステップＳ５において、内側限界軌跡Ｔｉｎを算出する。内側限界軌跡Ｔｉｎとは、図３に示すように、ステップＳ２にて検出された駐車枠１００に対して自車両が最小回転半径Ｒｍｉｎで旋回したときの軌跡のうち、駐車枠端点１００ａに接することなく最も近付く軌跡１０３である。
【００２６】
また、後退開始領域算出回路１４は、ステップＳ６において、外側限界軌跡Ｔｏｕｔを算出する。外側限界軌跡Ｔｏｕｔとは、図３に示すように、ステップＳ１にて検出された走行車線幅Ｗｒにおいて駐車枠１００が存在する駐車面１０１とは反対の対向面１０２に対して走行してきた自車両が方向角θｍａｘで位置した場合に当該自車両が最小回転半径Ｒｍｉｎで旋回したときに駐車可能な軌跡のうち、他方の駐車枠端点１００ｂ及び側面１００ｃに接することなく最も近付く軌跡１０４である。
【００２７】
そして、後退開始領域算出回路１４は、ステップＳ７において、ステップＳ１にて検出された走行車線幅Ｗｒが、ステップＳ５にて算出された内側限界軌跡ＴｉｎとステップＳ６にて算出された外側限界軌跡Ｔｏｕｔとによって囲まれる領域を、後退開始領域１０５とし、定義し、これを算出する。
【００２８】
続いて、車両姿勢自由度判定回路１５は、ステップＳ８において、後退開始領域１０５内における自車両姿勢の自由度を判定する。具体的には、図４（ａ）に示すように、ステップＳ７にて定義された後退開始領域１０５（図示せず）内における任意の地点Ｓにおいて、ステップＳ３にて検出された自車両位置ｘｐから地点Ｓに自車両を進行させた場合における方向角（前進方向角θｓ）の取り得る範囲である前進方向角θｓ（θｓｍｉｎ≦θｓ≦θｓｍａｘ）において、自車両が角度θｓの姿勢であったとする。そして、この角度θｓの姿勢から、図４（ｂ）に示すように、自車両が駐車枠１００に向けて後退した場合に、１度の操舵で当該自車両が駐車枠１００内に到達可能な方向角（後退方向角Ｈｓ）の取り得る範囲（ηｓｍｉｎ≦Ｈ≦ηｓｍａｘ）の総和を自由度Ｆｓとする。すなわち、車両姿勢自由度判定回路１５は、次式（２）によって自由度Ｆｓを判定する。
【数２】
0004992733.tif 000003
【００２９】
続いて、強調度決定回路１６は、ステップＳ９において、運転者に提示する情報の強調度を決定する。このとき、強調度決定回路１６は、上述したように、ステップＳ８にて判定された後退開始領域１０５内における任意の地点Ｓの自由度Ｆｓが大きいほど、高い強調度Ｅｓとする。したがって、強調度決定回路１６は、自由度Ｆｓと強調度ＥｓとをＦｓ＝Ｅｓとし、後退開始領域１０５内における全ての地点Ｓの強調度を決定する。
【００３０】
そして、表示装置１７は、ステップＳ１０において、ステップＳ９にて決定された強調度Ｅｓに応じた視覚情報を提示する。具体的には、表示装置１７は、図５に示すように、ステップＳ２にて検出された自車両２０１が駐車をする駐車枠２０２を含む俯瞰画像２００に対して、ステップＳ９にて決定された後退開始領域内における低強調度情報２０３，高強調度情報２０４を重ね合わせて表示し、一連の処理を終了する。ここで、高強調度情報２０４は、例えば赤色で表示し、低強調度情報２０３は、青色で表示される。これにより、駐車支援装置は、俯瞰画像２００内において運転者から強調されて見える高強調度情報２０４に自車両２０１を移動させれば、高い自由度Ｆｓで自車両２０１を後退させることができることを直感的に提示することができる。
【００３１】
駐車支援装置は、このような一連の手順にしたがって、自車両を所定の駐車目標領域（駐車枠１００）に位置させるために運転者に操作の支援となる情報を提示することができる。
【００３２】
なお、駐車支援装置においては、情報提示手段として表示装置１７を用いるものとしたが、視覚情報を表示するものであれば、例えば車載用ナビゲーション装置やヘッドアップディスプレイ等を用いてもよい。また、かかる情報提示手段によって表示する視覚情報を強調する方法としては、強調度決定回路１６によって決定された強調度Ｅｓに応じて、映像の明度、彩度若しくは色相の全て又はいずれかを変化させる方法等を適用することができる。
【００３３】
［第１実施形態の効果］
以上詳細に説明したように、本発明を適用した第１実施形態に係る駐車支援装置は、自車両を位置させることで所定の駐車枠１００に到達することが可能となる後退開始領域１０５を後退開始領域算出回路１４によって算出し、この後退開始領域算出回路１４によって算出された後退開始領域１０５内において、自車両が後退走行を開始してから終了するまでに許容される自車両姿勢の自由度Ｆｓを車両姿勢自由度判定回路１５によって判定し、この車両姿勢自由度判定回路１５によって判定された自車両姿勢の自由度Ｆｓに応じて、運転者に提示する情報の強調度Ｅｓを強調度決定回路１６によって決定し、後退開始領域算出回路１４によって算出された後退開始領域１０５を、強調度決定回路１６によって決定された強調度Ｅｓに応じて、表示装置１７を介して運転者に提示する。
【００３４】
したがって、この駐車支援装置によれば、自車両が駐車枠１００に到達することが可能となる領域である後退開始領域１０５に含まれる位置ごとに、自車両が後退走行を開始してから終了するまでに許容される自車両姿勢の自由度Ｆｓを判定して、当該自由度Ｆｓに応じた強調度Ｅｓで後退開始領域１０５を提示するので、車両姿勢の自由度Ｆｓといった駐車中の運転者の操舵の特性を、情報の強調度Ｅｓという感覚の特性に合致した形態で運転者に提示することができるため、容易に駐車開始領域を掴むことができる。
【００３５】
また、この駐車支援装置は、自車両の前方における走行車線幅Ｗｒを車線幅検出回路１２によって検出し、この車線幅検出回路１２によって検出された走行車線幅方向における自車両位置ｘｐを自車位置検出回路１１によって検出し、自車両が駐車をする駐車枠１００を駐車枠検出回路１３によって検出し、自車位置検出回路１１によって検出された自車両位置ｘｐと、車線幅検出回路１２によって検出された走行車線幅Ｗｒと、駐車枠検出回路１３によって検出された駐車枠１００と、自車両の最小回転半径Ｒｍｉｎとに基づいて、後退開始領域算出回路１４によって後退開始領域１０５を算出する。これにより、この駐車支援装置においては、自車両位置ｘｐ、走行車線幅Ｗｒ、駐車枠１００といった位置関係と、自車両の既定の最小回転半径Ｒｍｉｎによって後退開始領域１０５を運転者に提示して、当該後退開始領域１０５の強調度Ｅｓを提示できる。
【００３６】
さらに、この駐車支援装置において、車両姿勢自由度判定回路１５は、自車位置検出回路１１によって検出された現在の自車両位置ｘｐから駐車可能領域算出回路１４によって検出された後退開始領域１０５内に含まれる位置に当該自車両を進行させたときに、当該自車両が取り得る方向角である前進方向角θｓが大きいほど、当該後退開始領域１０５に含まれる位置の自車両姿勢の自由度Ｆｓが大きいと判定する。さらに、この駐車支援装置は、後退開始領域１０５内に含まれる位置から駐車枠検出回路１３によって検出された駐車枠１００に向けて後退した場合に、１度の操舵で駐車枠１００内に当該自車両を位置させることが可能な方向角である後退方向角Ｈｓが大きいほど、自車両姿勢の自由度が大きいと判定する。これにより、この駐車支援装置においては、自車両に許容される方向角の広さを自由度Ｆｓの大きさとして定量化して、当該自由度Ｆｓに応じた強調度Ｅｓで後退開始領域１０５を提示することが可能となる。
【００３７】
さらにまた、この駐車支援装置において、強調度決定回路１６は、後退開始領域算出回路１４によって算出された後退開始領域１０５内に含まれる位置における、車両姿勢自由度判定回路１５によって判定された自車両姿勢の自由度Ｆｓが大きいほど、当該後退開始領域１０５に含まれる位置を高い強調度Ｅｓとする。これにより、この駐車支援装置において、運転者は、後退開始領域１０５に含まれる位置から後退した場合に、自車両に許容される自由度Ｆｓの大きさを強調度Ｅｓとして感覚的に認知させることができる。
【００３８】
なお、この駐車支援装置においては、情報提示手段である表示装置１７として、視覚情報を表示する車載用ナビゲーション装置、ヘッドアップディスプレイ、又は表示装置のいずれかを用いることができる。そして、表示装置１７は、強調度決定回路１６によって決定された強調度Ｅｓに応じて、映像の明度、彩度若しくは色相の全て又はいずれかを変化させて表示することにより、視覚的な感覚に合致した後退開始領域１０５を提示して、運転者に認知させることができる。
【００３９】
［第２実施形態］
つぎに、本発明を適用した第２実施形態に係る駐車支援装置について説明する。
【００４０】
この第２実施形態に係る駐車支援装置は、第１実施形態に係る駐車支援装置を改良し、運転者の駐車の嗜好を反映させて、運転者に提示する情報の強調度を決定するものである。したがって、この第２実施形態においては、第１実施形態にて説明した部位と同一部位及び同一処理については、それぞれ、同一符号及び同一ステップ番号を付し、その詳細な説明を省略するものとする。
【００４１】
［駐車支援装置の構成］
本発明を適用した第２実施形態に係る駐車支援装置は、図６に示すように、上述したカメラ装置１０、自車位置検出回路１１、車線幅検出回路１２、及び駐車枠検出回路１３の他に、自車両を位置させることで所定の駐車枠１００に到達することが可能となる領域である後退開始領域１０５を算出する後退開始領域算出手段としての後退開始領域算出回路２０と、自車両姿勢の自由度Ｆｓを判定する車両姿勢自由度判定手段としての車両姿勢自由度判定回路２１と、運転者に提示する情報の強調度を決定する強調度決定手段としての強調度決定回路２２と、運転者の駐車履歴に基づく当該運転者の駐車嗜好を保持する駐車嗜好保持手段としての駐車嗜好保持回路２３と、駐車嗜好保持手段の一部を構成して自車両位置ｘｐを検出するＧＰＳ（Global Positioning System）装置２４と、強調度決定回路２２によって決定された情報の強調度に応じた視覚情報を提示する情報提示手段としてのヘッドアップディスプレイ２５とを備える。
【００４２】
すなわち、駐車支援装置は、第１実施形態にて示した後退開始領域算出回路１４に代えて後退開始領域算出回路２０を備え、車両姿勢自由度判定回路１５に代えて車両姿勢自由度判定回路２１を備え、強調度決定回路１６に代えて強調度決定回路２２を備え、表示装置１７に代えてヘッドアップディスプレイ２５を備えるとともに、駐車嗜好保持回路２３及びＧＰＳ装置２４を新たに備えて構成される。
【００４３】
後退開始領域算出回路２０は、後退開始領域算出回路１４と同様に、自車位置検出回路１１によって検出された自車両位置ｘｐと、車線幅検出回路１２によって検出された走行車線幅Ｗｒと、駐車枠検出回路１３によって検出された駐車枠１００の座標情報とに基づいて、自車両が所定の駐車枠１００に駐車する際に当該自車両を位置させることで所定の駐車枠１００に到達することが可能となる領域である後退開始領域１０５を算出する。また、後退開始領域算出回路２０は、後述する最大限界軌跡Ｔｍａｘを算出する。後退開始領域算出回路２０は、算出した後退開始領域１０５の座標情報や最大限界軌跡Ｔｍａｘの情報を、車両姿勢自由度判定回路２１及び強調度決定回路２２に供給する。
【００４４】
車両姿勢自由度判定回路２１は、車両姿勢自由度判定回路１５と同様に、後退開始領域算出回路２０によって算出された後退開始領域１０５内において、自車両が後退走行を開始してから終了するまでに許容される自車両姿勢の自由度Ｆｓを判定する。ただし、車両姿勢自由度判定回路２１は、車両姿勢自由度判定回路１５とは異なる定義の自由度Ｆｓを判定する。車両姿勢自由度判定回路２１は、判定した自由度Ｆｓの情報を、強調度決定回路２２に供給する。
【００４５】
強調度決定回路２２は、強調度決定回路１６と同様に、運転者に提示する情報について、後退開始領域算出回路２０によって算出された後退開始領域１０５内における全ての地点の強調度Ｅｓを決定する。このとき、強調度決定回路２２は、車両姿勢自由度判定回路１５によって判定された後退開始領域１０５内における自由度Ｆｓのみに応じた強調度Ｅｓを決定するのではなく、運転者の駐車履歴がある場合には、その駐車履歴に基づく当該運転者の駐車嗜好を駐車嗜好保持回路２３から読み出し、その駐車嗜好に応じた強調度Ｅｓを決定する。強調度決定回路２２は、後退開始領域１０５の座標情報と、当該座標情報について決定した強調度Ｅｓをヘッドアップディスプレイ２５に供給する。
【００４６】
駐車嗜好保持回路２３は、特定の駐車枠１００において自車両が後退走行を行った際にＧＰＳ装置２４によって計測された位置情報と、その駐車の際の自車両の軌跡とを、履歴として保持している。これにより、駐車嗜好保持回路２３には、運転者の駐車履歴に基づく当該運転者の駐車嗜好が保持される。そして、駐車嗜好保持回路２３は、ＧＰＳ装置２４によって計測された現在の自車両位置情報が、保持している駐車の履歴における位置情報と同一範囲であるか否かを照合し、運転者の駐車履歴の有無を判定する。この駐車嗜好保持回路２３に保持されている運転者の駐車履歴に基づく当該運転者の駐車嗜好情報は、強調度決定回路２２によって読み出される。
【００４７】
ヘッドアップディスプレイ２５は、自車両のウィンドスクリーンに透過型の映像表示装置を配置することにより、実際の風景に対して計算機等で作成した情報を重ね合わせて表示することができる装置である。このヘッドアップディスプレイ２５は、上述した表示装置１７と同様に、俯瞰画像に、後退開始領域算出回路２０によって算出された後退開始領域１０５に関する視覚情報を重畳して運転者に提示する。このとき、ヘッドアップディスプレイ２５は、強調度決定回路２２によって決定された情報の強調度Ｅｓに応じた視覚情報を提示する。
【００４８】
［駐車支援装置の動作］
このような各部を備える駐車支援装置は、図７に示すような一連の手順にしたがって、自車両を所定の駐車枠１００に位置させるために運転者に操作の支援となる情報を提示する。
【００４９】
まず、駐車支援装置においては、先に図２に示したステップＳ１乃至ステップＳ７の処理を行い、後退開始領域１０５を算出すると、ステップＳ２１へと処理を移行する。
【００５０】
後退開始領域算出回路２０は、ステップＳ２１において、最大限界軌跡Ｔｍａｘを算出する。最大限界軌跡Ｔｍａｘとは、図８に示すように、ステップＳ１にて検出された走行車線において駐車枠１００が存在する駐車面１０１とは反対の対向面１０２に対して走行してきた自車両が方向角θｍａｘで位置した場合に駐車可能な軌跡のうち、駐車枠１００の側面１００ｃに接することなく最も近付く軌跡１０３である。なお、最大限界軌跡Ｔｍａｘの半径Ｒ’ｍａｘは、ステップＳ２にて検出された駐車枠１００の深さをｌｐとすると、次式（３）によって算出される。
【数３】
0004992733.tif 000004
【００５１】
続いて、車両姿勢自由度判定回路２１は、ステップＳ２２において、後退開始領域１０５内における自車両姿勢の自由度Ｆｓを判定する。具体的には、図９に示すように、ステップＳ５にて算出された内側限界軌跡Ｔｉｎにおける曲率、すなわち、自車両の最小回転半径がＲ’ｍｉｎであり、ステップＳ２１にて算出された最大限界軌跡Ｔｍａｘにおける曲率がＲ’ｍａｘであった場合において、ステップＳ７にて算出された後退開始領域１０５（Ｓ’）を有限個の区画ｄＳ’ｎ（ｎ＝１，・・・，Ｎ）に区分したときにおける任意の区画ｄＳ’ｉを、駐車における後退開始地点とする。そして、自車両が駐車枠１００に向けて後退する時の曲率Ｒ’を、Ｒ’ｍｉｎ≦Ｒ’≦Ｒ’ｍａｘの範囲で変動させ、且つ、ステップＳ４にて算出された最大方向角がθ’ｍａｘであった場合に、自車両の後退開始地点における方向角θ’を、０≦θ’≦θ’ｍａｘの範囲で変動させた場合に、ステップＳ２にて検出された駐車枠１００に自車両が到達可能な複数の軌跡のうちで区画ｄＳｋ（ｋ＝１，・・・，Ｎ）を横断した軌跡を、区画ｄＳｋ毎に加算した値を当該区画ｄＳｎの自由度Ｆｓと定義する。
【００５２】
続いて、駐車嗜好保持回路２３は、ステップＳ２３において、ＧＰＳ装置２４によって計測された現在の自車両位置ｘｐ情報に基づいて、運転者の駐車履歴の有無を判定する。
【００５３】
ここで、駐車支援装置は、運転者の駐車履歴があるものと判定された場合には、ステップＳ２４へと処理を移行し、強調度決定回路２２により、駐車嗜好保持回路２３に保持されている運転者の駐車履歴に基づく当該運転者の駐車嗜好のうち、駐車枠１００に対して自車両を後退させるために最初に停止させたときの当該自車両の方向角の平均値φ、すなわち、自車両を進行させたときに当該自車両が取り得る方向角である前進方向角の平均値φを参照して取得する。
【００５４】
続いて、強調度決定回路２２は、ステップＳ２５において、運転者に提示する情報の強調度Ｅｓを決定する。ここで、ステップＳ２２にて算出される自由度Ｆｓは、通常、ステップＳ１にて検出された走行車線幅Ｗｒと、ステップＳ２にて検出された駐車枠１００の横幅と、ステップＳ３にて検出された自車両位置ｘｐとに応じて変動する。しかし、駐車枠１００から遠ざかる方向をＸ方向とし、駐車枠１００に平行な方向をＹ方向とした場合、Ｘ方向の所定の地点ｘにおいて自由度Ｆｓが最大となるＹ方向の地点ｙは、一意に決まることになる。
【００５５】
そして、この地点ｙを任意の地点ｘについて求めると、自由度Ｆｓの大きい駐車軌跡は、図１０の網掛け部分以外のように、駐車枠１００に対して所定の角度ψを持つ直線によって近似することができる。しかしながら、ステップＳ２４にて自車両の方向角の平均値φを取得したように、運転者は方向角φの方向からの駐車を嗜好しているので、強調度決定回路２２は、図１１に示すように、Ｙ方向の自由度Ｆｓの最大値と同等の大きさの強調度Ｅｓを、駐車枠１００に対して方向角がφとなるようにずらして、後退開始領域１０５内の各地点に付与する。駐車支援装置は、このようにして、角度ψから角度φとなるように後退開始領域１０５における強調度Ｅｓを決定すると、ステップＳ２７へと処理を移行する。
【００５６】
一方、駐車支援装置は、ステップＳ２３において、運転者の駐車履歴がないものと判定された場合には、ステップＳ２６へと処理を移行し、強調度決定回路２２により、ステップＳ２２にて判定された自由度Ｆｓに基づいて、後退開始領域１０５に含まれる座標情報ごとの強調度Ｅｓを決定する。すなわち、強調度決定回路２２は、図１２に示すような自由度Ｆｓに応じた強調度Ｅｓへの変換特性を示すデータをメモリ等に保持しておき、この変換特性データを参照する。これにより、強調度決定回路２２は、自由度Ｆｓが小さい値の範囲では強調度Ｅｓを比例して大きくし、次第に強調度Ｅｓの増加に対する自由度Ｆｓの増加度合いを緩やかとする。すなわち、自由度Ｆｓが大きくなるほど強調度Ｅｓの増加度合い低くするように、強調度Ｅｓを決定する。駐車支援装置は、このようにして後退開始領域１０５の座標情報に対する強調度Ｅｓを決定すると、ステップＳ２７へと処理を移行する。
【００５７】
駐車支援装置は、ステップＳ２７へと処理を移行すると、ヘッドアップディスプレイ２５を用いて、ステップＳ２５又はステップＳ２６にて決定された情報の強調度Ｅｓに応じた視覚情報を提示する。具体的には、ヘッドアップディスプレイ２５は、ステップＳ２５又はステップＳ２６にて決定された後退開始領域１０５内における強調度Ｅｓを、駐車面１０１及び対向面１０２内に重ね合わせて俯瞰画像上に表示して、一連の処理を終了する。
【００５８】
駐車支援装置は、このような一連の手順にしたがって、自車両を所定の駐車枠１００に位置させるために運転者に操作の支援となる情報を提示することができる。
【００５９】
なお、駐車支援装置においては、情報提示手段としてヘッドアップディスプレイ２５を用いるものとしたが、視覚情報を表示するものであれば、例えば車載用ナビゲーション装置や表示装置等を用いてもよい。また、かかる情報提示手段によって表示する視覚情報を強調する方法としては、第１実施形態にて説明したように、強調度決定回路２２によって決定された強調度Ｅｓに応じて、映像の明度、彩度若しくは色相の全て又はいずれかを変化させる方法等を適用することができる。
【００６０】
［第２実施形態の効果］
以上詳細に説明したように、本発明を適用した第２実施形態に係る駐車支援装置は、後退開始範囲算出回路２０によって検出された後退開始領域１０５内に含まれる位置に自車両を進行させたときに、当該自車両が取り得る方向角である前進方向角の平均値を当該運転者の駐車嗜好情報として保持する駐車嗜好保持回路２３を備え、この駐車嗜好保持回路２３に運転者の駐車嗜好情報として保持されている前進方向角の平均値φを強調度決定回路２２が参照して、当該平均値φに相当する前進方向角において高い強調度Ｅｓを付与する。したがって、この駐車支援装置によれば、運転者が過去に駐車した経験がある駐車場面では当該運転者の駐車の嗜好に適した後退開始領域１０５を強調して提示することができるため、容易に駐車開始領域を掴むことができる。
【００６１】
また、この駐車支援装置において、強調度決定回路２２は、自車位置検出回路１１によって検出された現在の自車両位置ｘｐから駐車可能領域算出回路１４によって検出された後退開始領域１０５内に含まれる位置に当該自車両を進行させたときに、当該自車両が取り得る方向角である前進方向角が大きくなるほど、低い増加度合いで後退開始領域１０５の強調度Ｅｓを付与する。これにより、この駐車支援装置によれば、運転者が過度に強調された情報に煩わされることない支援情報を当該運転者に提示することができる。
【００６２】
［第３実施形態］
つぎに、本発明を適用した第３実施形態に係る駐車支援装置について説明する。
【００６３】
この第３実施形態として示す駐車支援装置は、第１実施形態及び第２実施形態として示した駐車支援装置を改良し、駐車枠１００の横幅に応じて後退開始領域１０５における強調度Ｅｓを決定するものである。したがって、この第３実施形態においては、第１実施形態及び第２実施形態にて説明した部位と同一部位及び同一処理については、それぞれ、同一符号及び同一ステップ番号を付し、その詳細な説明を省略するものとする。
【００６４】
［駐車支援装置の構成］
本発明を適用した第３実施形態に係る駐車支援装置は、図１３に示すように、上述したカメラ装置１０、自車位置検出回路１１、車線幅検出回路１２、駐車枠検出回路１３、後退開始領域算出回路２０、及び車両姿勢自由度判定回路２１の他に、運転者に提示する後退開始領域１０５の強調度Ｅｓを決定する強調度決定手段としての強調度決定回路３０と、強調度決定回路３０によって決定された強調度Ｅｓに応じた聴覚情報を提示する情報提示手段としての音響装置３１と、強調度決定回路３０によって決定された強調度Ｅｓに応じた触覚情報としての操舵反力を提示する情報提示手段としての操舵反力制御装置３２とを備える。
【００６５】
すなわち、駐車支援装置は、第２実施形態にて示した強調度決定回路２２に代えて強調度決定回路３０を備えるとともに、ヘッドアップディスプレイ２５に代えて音響装置３１及び操舵反力制御装置３２を備えて構成される。
【００６６】
強調度決定回路３０は、強調度決定回路１６，２２と同様に、運転者に提示する情報について、後退開始領域算出回路２０によって算出された後退開始領域１０５内における全ての地点の強調度Ｅｓを決定する。このとき、強調度決定回路３０は、運転者の認知特性の観点から、車線幅検出回路１２によって検出された走行車線幅Ｗｒに応じた強調度Ｅｓを決定する。強調度決定回路３０は、決定した後退開始領域１０５の座標情報に対する強調度Ｅｓを音響装置３１及び操舵反力制御装置３２に供給する。
【００６７】
音響装置３１は、一定の周波数でパルス音を発生するブザーやスピーカ等から構成され、後退開始領域算出回路２０によって算出された後退開始領域１０５を表す聴覚情報を運転者に提示する。このとき、音響装置３１は、強調度決定回路３０によって決定された後退開始領域１０５における強調度Ｅｓに応じてパルス音の周波数を変化させた聴覚情報を提示する。
【００６８】
操舵反力制御装置３２は、運転者による操舵輪の回転操作に応じて反力の大きさを変化させる装置であり、後退開始領域算出回路２０によって算出された後退開始領域１０５における強調度に応じた触覚情報を運転者に提示する。このとき、操舵反力制御装置３２は、強調度決定回路３０によって決定された後退開始領域１０５における強調度Ｅｓに応じて反力の大きさを変化させることによって触覚情報を提示する。
【００６９】
［駐車支援装置の動作］
このような各部を備える駐車支援装置は、図１４に示すような一連の手順にしたがって、自車両を所定の駐車枠１００に位置させるために運転者に操作の支援となる情報を提示する。
【００７０】
まず、駐車支援装置においては、先に図２に示したステップＳ１乃至ステップＳ７の処理を行い、後退開始領域１０５を算出すると、先に図７に示したステップＳ２１及びステップＳ２２の処理を行って、後退開始領域１０５内における自車両姿勢の自由度Ｆｓを判定する。
【００７１】
そして、強調度決定回路３０は、ステップＳ３１において、運転者に提示する後退開始領域１０５における強調度Ｅｓを決定する。ここで、ステップＳ２２にて算出される自由度Ｆｓは、上述したように、ステップＳ１にて検出された走行車線幅Ｗｒと、ステップＳ２にて検出された駐車枠１００の横幅と、ステップＳ３にて検出された自車両位置ｘｐとに応じて変動するが、駐車枠１００から遠ざかる方向をＸ方向とし、駐車枠１００に平行な方向をＹ方向とした場合、Ｘ方向の所定の地点ｘにおいて自由度Ｆｓが最大となるＹ方向の地点ｙは、一意に決まることになる。
【００７２】
そして、この地点ｙを任意の地点ｘについて求めると、自由度Ｆｓの大きい駐車軌跡は、先に図１０に示したように、駐車枠１００に対して所定の角度ψを持つ直線によって近似することができる。しかしながら、駐車枠１００の横幅Ｗｐが狭い場合には、運転者の認知特性の観点から、角度ψをより大きくなる方向に補正した方が駐車しやすくなる。
【００７３】
そこで、強調度決定回路３０は、図１５に示すように、Ｙ方向の自由度Ｆｓの最大値と同等の大きさの強調度Ｅｓを、駐車枠１００に対して方向角φが次式（４）となるように、後退開始領域１０５内の各地点に付与する。駐車支援装置は、このようにして強調度Ｅｓを決定すると、ステップＳ３２へと処理を移行する。
【数４】
0004992733.tif 000005
【００７４】
駐車支援装置は、ステップＳ３２へと処理を移行すると、音響装置３１を用いて、ステップＳ３１にて決定された情報の強調度Ｅｓに応じた聴覚情報を提示する。具体的には、音響装置３１は、車両の駐車枠１００に対する方向角がステップＳ３１にて算出された方向角φに近付くほど高い周波数でパルス音を発生する。
【００７５】
また、駐車支援装置は、このステップＳ３２の処理と同時に、ステップＳ３３において、操舵反力制御装置３２を用いて、ステップＳ３２にて決定された強調度Ｅｓに応じた触覚情報を、後退開始領域１０５における位置に応じて提示する。具体的には、操舵反力制御装置３２は、自車両の駐車枠１００に対する方向角がステップＳ３１にて算出された方向角φに近づいて強調度Ｅｓが高い方向に操舵する場合には弱い反力を提示する。一方、操舵反力制御装置３２は、方向角φから遠ざかって強調度Ｅｓが低い方向に操舵する場合には強い反力を提示する。
【００７６】
このように、駐車支援装置は、音響装置３１及び操舵反力制御装置３２により、決定された情報の強調度Ｅｓに応じた聴覚情報及び触覚情報を提示し、一連の処理を終了する。
【００７７】
駐車支援装置は、このような一連の手順にしたがって、自車両を所定の駐車枠１００に位置させるために運転者に操作の支援となる情報を提示することができる。
【００７８】
なお、駐車支援装置においては、情報提示手段として音響装置３１を用いるものとしたが、聴覚情報を提示するものであればいかなるものを用いてもよい。また、かかる情報提示手段によって提示する聴覚情報を強調する方法としては、強調度決定回路３０によって決定された強調度Ｅｓに応じて、音声の音圧若しくは周波数の全て又はいずれかを変化させる方法等を適用することができる。
【００７９】
さらに、駐車支援装置においては、情報提示手段として操舵反力制御装置３２を用いるものとしたが、触覚情報を提示することを目的とするものであれば、例えば運転者が着座する運転席に埋め込まれた振動装置を用いてもよい。また、操舵反力制御装置であっても、運転者による操舵輪の操作に応じて反力の大きさを変化させるもののみならず、アクセルペダルやブレーキペダルの操作に応じて反力の大きさを変化させる反力制御装置を用いてもよい。また、かかる情報提示手段によって提示する触覚情報を強調する方法としては、強調度決定回路３０によって決定された強調度Ｅｓに応じて、反力制御装置による反力の大きさを変化させる方法の他に、振動装置による振動数を変化させる方法等を適用することができる。
【００８０】
［第３実施形態の効果］
以上詳細に説明したように、本発明を適用した第３実施形態に係る駐車支援装置によれば、強調度決定回路３０によって、後退開始範囲算出回路２０によって検出された後退開始領域１０５の横幅が狭くなるほど、当該後退開始領域１０５内に含まれる位置に自車両を進行させたときに当該自車両が取り得る方向角である前進方向角が大きくなるような方向に対して、高い強調度Ｅｓを決定する。
【００８１】
したがって、この駐車支援装置によれば、一般的に駐車が困難である狭い横幅を持つ駐車枠１００であっても、自車両を大きな方向角に誘導させることができ、運転者に駐車枠１００をより容易に認識させることができる。
【００８２】
また、この駐車支援装置においては、情報提示手段として、聴覚情報を提示する音響装置３１を用い、強調度決定回路３０によって決定された強調度Ｅｓに応じて、音声の音圧若しくは周波数の全て又はいずれかを変化させて提示する。これにより、この駐車支援装置によれば、運転者が駐車枠１００を視覚的に認識している場合のように、運転者が視覚情報による駐車支援を受けることが困難である場合であっても、聴覚的な感覚に合致した駐車支援情報を認知させることができる。
【００８３】
さらに、この駐車支援装置においては、情報提示手段として、触覚情報を提示することを目的として運転者が着座する運転席に埋め込まれた振動装置、又は、運転者による操舵輪、アクセルペダル若しくはブレーキペダルの操作に応じて反力の大きさを変化させる反力制御装置のいずれかを用い、強調度決定回路３０によって決定された強調度Ｅｓに応じて、振動装置による振動数又は反力制御装置による反力の大きさを変化させて提示することにより、運転者が視覚情報や聴覚情報による駐車支援を受けることが困難である場合であっても、触覚的な感覚に合致した駐車支援情報を運転者が取得することができる。
【００８４】
なお、上述の実施の形態は本発明の一例である。このため、本発明は、上述の実施の形態に限定されることはなく、この実施の形態以外の形態であっても、本発明に係る技術的思想を逸脱しない範囲であれば、設計などに応じて種々の変更が可能であることは勿論である。
【図面の簡単な説明】
【００８５】
【図１】本発明を適用した第１実施形態に係る駐車支援装置の構成について示す図である。
【図２】本発明を適用した第１実施形態に係る駐車支援装置において、自車両を所定の駐車枠１００に位置させるために運転者に操作の支援となる情報を提示する際の一連の処理について示すフローチャートである。
【図３】本発明を適用した第１実施形態に係る駐車支援装置における後退開始領域算出回路による処理を説明するための図であり、内側限界軌跡と外側限界軌跡とについて説明するための図である。
【図４】本発明を適用した第１実施形態に係る駐車支援装置における車両姿勢自由度判定回路による処理を説明するための図であり、後退開始領域１０５内における自車両姿勢の自由度の定義について説明するための図である。
【図５】本発明を適用した第１実施形態に係る駐車支援装置における表示装置によって提示される視覚情報の具体例を示す図である。
【図６】本発明を適用した第２実施形態に係る駐車支援装置の構成について示す図である。
【図７】本発明を適用した第２実施形態に係る駐車支援装置において、自車両を所定の駐車枠１００に位置させるために運転者に操作の支援となる情報を提示する際の一連の処理について示すフローチャートである。
【図８】本発明を適用した第２実施形態に係る駐車支援装置における後退開始領域算出回路による処理を説明するための図であり、最大限界軌跡について説明するための図である。
【図９】本発明を適用した第２実施形態に係る駐車支援装置における車両姿勢自由度判定回路による処理を説明するための図であり、後退開始領域１０５内における自車両姿勢の自由度の定義について説明するための図である。
【図１０】本発明を適用した第２実施形態に係る駐車支援装置における強調度決定回路による処理を説明するための図であり、自由度の大きい駐車軌跡が駐車枠１００に対して所定の角度を持つ直線によって近似できる旨を説明するための図である。
【図１１】本発明を適用した第２実施形態に係る駐車支援装置における強調度決定回路による処理を説明するための図であり、駐車枠１００に平行な方向に対する自由度と強調度との関係について説明するための図である。
【図１２】本発明を適用した第２実施形態に係る駐車支援装置における強調度決定回路によって参照される変換特性データの具体例を示す図である。
【図１３】本発明を適用した第３実施形態に係る駐車支援装置の構成について示す図である。
【図１４】本発明を適用した第３実施形態に係る駐車支援装置において、自車両を所定の駐車枠１００に位置させるために運転者に操作の支援となる情報を提示する際の一連の処理について示すフローチャートである。
【図１５】本発明を適用した第３実施形態に係る駐車支援装置における強調度決定回路による処理を説明するための図であり、駐車枠１００に平行な方向に対する自由度と強調度との関係について説明するための図である。
【符号の説明】
【００８６】
１０  カメラ装置
１１  自車位置検出回路
１２  車線幅検出回路
１３  駐車枠検出回路
１４  後退開始領域算出回路
１５  車両姿勢自由度判定回路
１６，２２  強調度決定回路
１７  表示装置
２０  後退開始領域算出回路
２１  車両姿勢自由度判定回路
２３  駐車嗜好保持回路
２４  ＧＰＳ装置
２５  ヘッドアップディスプレイ
３０  強調度決定回路
３１  音響装置
３２  操舵反力制御装置
１００  駐車枠
１０５  後退開始領域
【図１】
0004992733.tif 000006
【図２】
0004992733.tif 000007
【図３】
0004992733.tif 000008
【図４】
0004992733.tif 000009
【図５】
0004992733.tif 000010
【図６】
0004992733.tif 000011
【図７】
0004992733.tif 000012
【図８】
0004992733.tif 000013
【図９】
0004992733.tif 000014
【図１０】
0004992733.tif 000015
【図１１】
0004992733.tif 000016
【図１２】
0004992733.tif 000017
【図１３】
0004992733.tif 000018
【図１４】
0004992733.tif 000019
【図１５】
0004992733.tif 000020